(57)【要約】  【課題】  施工現場における溶接作業を必要とせず、機械的な連結のみにより取付けることが可能であり、天候に影響を受けることなく工程管理を進めることができて、且つ作業者の施工技術に影響を受けることなく安定した品質が得られるパネル部材の取付け構造を提供する。  【解決手段】  躯体１５の下面に横長のルーズホール１６ａが設けられ、パネル部材１４の上端付近の側面にロッド体１１の一端を固定することができる受け部材１７が埋設され、Ｔ形連結部材１２は一端にＴ字状に両側へ延びる突出部１２ｂを有し、他端にルーズホール１２ｃを構成する環状部１２ｄが設けられたものであり、Ｔ形連結部材は、そのＴ字状突出部が躯体下面のルーズホールに係合され、環状部にロッド体が挿通されて定着具１３により固定され、ロッド体の先端が受け部材によりパネル部材に固定されたものである。【選択図】  図１
2008063776.tif 000002
【特許請求の範囲】
【請求項１】
ロッド体とＴ形連結部材と定着具とを含むファスナーによりパネル部材がほぼ垂直に躯体下面に取り付けられたパネル部材の取付構造であって、
躯体下面には横長のルーズホールが設けられ、パネル部材の上端付近の側面には前記ロッド体の一端を固定することができる受け部材が埋設され、Ｔ形連結部材は杆体の一端にＴ字状に両側へ延びる突出部を有すると共に杆体の他端にルーズホールを構成する環状部が設けられたものであり、
該Ｔ形連結部材は、そのＴ字状突出部が躯体下面の横長のルーズホールに係合され、環状部にロッド体が挿通されて定着具により固定され、該ロッド体の先端が前記受け部材によりパネル部材に固定され、躯体層間変位によるパネル部材への影響を躯体下面のルーズホールで吸収するようにしたものであるパネル部材の取付構造。
【請求項２】
ロッド体とＴ形連結部材と定着具とを含むファスナーによりパネル部材がほぼ垂直に躯体下面に取り付けられたパネル部材の取付構造であって、
躯体下面には前記ロッド体の一端を固定することができる受け部材が埋設され、パネル部材の上端付近の側面には横長のルーズホールが設けられ、Ｔ形連結部材は杆体の一端にＴ字状に両側へ延びる突出部を有すると共に杆体の他端にルーズホールを構成する環状部が設けられたものであり、
該Ｔ形連結部材は、そのＴ字状突出部がパネル部材の横長のルーズホールに係合され、環状部にロッド体が挿通されて定着具により固定され、該ロッド体の先端が前記受け部材により躯体下面に固定され、パネル部材のルーズホールで躯体層間変位によるパネル部材への影響を吸収するようにしたものであるパネル部材の取付構造。
【請求項３】
前記ロッド体として、少なくとも先端と後端の所定箇所に螺子山が形成された螺子ボルトを使用し、前記受け部材として、該螺子ボルトを螺合し得る雌螺子部材を含むものを使用し、前記Ｔ形連結部材の環状部に挿通したロッド体をワッシャー及びナットからなる定着具により固定したものである請求項１又は請求項２に記載のパネル部材の取付構造。
【発明の詳細な説明】
【技術分野】
【０００１】
本発明は、建物の躯体にほぼ垂直に設けられるＰＣパネル（プレキャストコンクリートのパネル）及びＡＬＣパネル等のパネル部材の取付構造に関する。
【背景技術】
【０００２】
ＰＣパネル及びＡＬＣパネル等のパネル部材を建物躯体へ取り付けるため、従来から実施されてきた取付構造としては、図６（ａ）〜（ｄ）のものを挙げることができる。
【０００３】
図６（ａ）の取付構造５０は、躯体５１の下面に溶接金物５２が埋設され、壁パネル５３の上端付近に切欠き部５４が形成され、ここに予め溶接金物５５が埋設され、これら両部材の溶接金物５２，５５どうしが溶接により接合されたものであり、壁パネル５３の切欠き部は樹脂モルタル５６等により埋められる。
しかしながら、溶接金物５２，５５どうしを溶接する際には、上向きで作業をしなければならないため作業性が悪く、しかも、接合部の品質は作業者の溶接技術に大きく影響を受ける。また溶接作業は天候に左右されやすく、工程管理が困難でもある。さらに、切欠き部に設けられる樹脂モルタルは経年劣化によるひび割れ、肌割れが生じやすいという課題もある。
【０００４】
次に、図６（ｂ）の取付構造６０は、躯体６１の下面にインサート付き金物６２またはナット組込み箱金物（図示せず）が埋設され、壁パネル６３の上端付近にボルト付き金物６４が埋設され、これら両金物６２，６４にアングルファスナー６５を取り付けることにより、壁パネル６３を躯体６１の下面に取り付けられたものである。
しかしながら、このような取付構造６０では、アングルファスナー６５が表面に現れた状態となり、美観上の問題が生じる。
【０００５】
図６（ｃ）の取付構造７０は、プレキャストコンクリート構造の躯体７１の下面に箱金物７２が埋設され、壁パネル７３の上端付近にシース管７４が埋設され、躯体７１を壁パネル７３の上面に設置する時に、ピンボルト７５を箱金物７２に取り付けてシース管７４内に挿入し、シース管７４内にグラウト材７６を注入してピンボルト７５を固定することにより、壁パネル７３を躯体７１の下面に取り付けたものである。
しかしながら、このような取付構造７０では、壁パネル７３が先行取付けとなり、仮設サポート等による仮固定を要し、グラウト材７６の強度発生まで仮設サポートが必要である。また構造的に重要なピンボルト７５の挿入状況が目視確認できない。また躯体７１がプレキャストコンクリートではなく、現場打ちコンクリートのような在来工法により形成される場合には適用が困難である。
【０００６】
また図６（ｄ）の取付構造８０では、躯体８１の下面に溶接金物８２が予め埋設され、この溶接金物８２に施工現場でアングルピース８３が溶接され、壁パネル８４には予めボルト付き金物８５が埋設され、ここに図示のように曲折された板材８６（イナズマプレート）が固定され、このイナズマプレート８６と壁パネル８４表面との隙間に、アングルピース８３が係合されて壁パネル８４が躯体８１の下面に取り付けられる。
しかしながら、この取付構造８０でも、溶接金物８２にアングルピース８３を固定する際に、上向きで溶接作業をしなければならず、図６（ａ）の取付構造５０と同様な問題が生じるものである。
【０００７】
なお、図６（ａ）〜（ｄ）以外の先行技術を挙げれば、特許文献１には建物構造体の層間変位をルーズホールで吸収するようにしたカーテンウォールの取付構造が記載されており、特許文献２にはＰＣパネルにファスナーが埋設され、このＰＣファスナーを受けてＰＣ板を躯体側に固定する固定金具が躯体コンクリートに埋設された鉄筋コンクリート構造物へのＰＣ板の取付け構造が記載されている。
しかしながら、特許文献１及び特許文献２に記載された発明に関しても、上述した問題を十分に解決するものではない。
【特許文献１】特開平１０−１６９０５４号公報
【特許文献２】特開２０００−３２８７０１号公報
【発明の開示】
【発明が解決しようとする課題】
【０００８】
以上のような現状を鑑みて本発明の課題は、施工現場における溶接作業を必要とせず、機械的な連結のみにより取付けることが可能であり、天候に影響を受けることなく工程管理を進めることができて、且つ作業者の施工技術に影響を受けることなく安定した品質が得られるパネル部材の取付け構造を提供することにある。
【課題を解決するための手段】
【０００９】
上記課題を解決するために、本発明では、ロッド体とＴ形連結部材と定着具とを含むファスナーによりパネル部材がほぼ垂直に躯体下面に取り付けられたパネル部材の取付構造であって、躯体下面には横長のルーズホールが設けられ、パネル部材の上端付近の側面には前記ロッド体の一端を固定することができる受け部材が埋設され、Ｔ形連結部材は杆体の一端にＴ字状に両側へ延びる突出部を有すると共に杆体の他端にルーズホールを構成する環状部が設けられたものであり、該Ｔ形連結部材は、そのＴ字状突出部が躯体下面の横長のルーズホールに係合され、環状部にロッド体が挿通されて定着具により固定され、該ロッド体の先端が前記受け部材によりパネル部材に固定され、躯体層間変位によるパネル部材への影響を躯体下面のルーズホールで吸収するようにしたものであるパネル部材の取付構造が提供される。
【００１０】
また本発明では、ロッド体とＴ形連結部材と定着具とを含むファスナーによりパネル部材がほぼ垂直に躯体下面に取り付けられたパネル部材の取付構造であって、躯体下面には前記ロッド体の一端を固定することができる受け部材が埋設され、パネル部材の上端付近の側面には横長のルーズホールが設けられ、Ｔ形連結部材は杆体の一端にＴ字状に両側へ延びる突出部を有すると共に杆体の他端にルーズホールを構成する環状部が設けられたものであり、該Ｔ形連結部材は、そのＴ字状突出部がパネル部材の横長のルーズホールに係合され、環状部にロッド体が挿通されて定着具により固定され、該ロッド体の先端が前記受け部材により躯体下面に固定され、パネル部材のルーズホールで躯体層間変位によるパネル部材への影響を吸収するようにしたものであるパネル部材の取付構造が提供される。
【００１１】
本発明では、前記ロッド体として、少なくとも先端と後端の所定箇所に螺子山が形成された螺子ボルトを使用可能であり、前記受け部材として、該螺子ボルトを螺合し得る雌螺子部材を含むものを使用可能であり、前記Ｔ形連結部材の環状部に挿通したロッド体をワッシャー及びナットからなる定着具により固定することが可能である。
ロッド体、受け部材及び定着具をこのように構成することにより、ロッド体とＴ形連結部材の環状部とは、さらに容易に連結することが可能になる。
【発明の効果】
【００１２】
本発明の取付構造は、Ｔ形連結部材がＴ字状突出部と環状部とを有し、Ｔ字状突出部が躯体又はパネル部材のルーズホールに係合され、環状部にロッド体が挿通されて定着具で固定され、このロッド体の先端がパネル部材又は躯体に固定されることにより、パネル部材が躯体に取り付けらたものであるため、施工現場における溶接作業を必要とせず、全て機械的な係合や連結のみにより取付構造を形成することが可能である。
したがって、天候に影響を受けることなく工程管理を進めることができて、且つ作業者の施工技術に影響を受けることなく安定した品質が得られる。
さらに、躯体層間変位によるパネル部材の面内方向への影響は、躯のルーズホールとＴ形連結部材との係合部により吸収することができ、またパネル部材を取り付ける際の寸法調整は、Ｔ形連結部材の環状部（ルーズホール）へのロッド体の挿通箇所で容易に行い得るものであり、これにより、本発明の取付構造は施工性の良好なものとなる。
【発明を実施するための最良の形態】
【００１３】
以下、本発明の実施の形態を添付図面に基づいて説明するが、本発明はこれに限定されるものではない。
【００１４】
〔第一の実施形態〕
図１は第一の実施形態を説明するため、一部の部材を緩めて示した斜視図であり、その断面図が図２である。
図１及び図２の取付構造１０は、螺子ロッド１１とＴ形連結部材１２と定着具１３とを含むファスナーにより壁パネル１４が梁又は床スラブ等の躯体１５の下面に取り付けられたものであり、特に、図３のようなＴ形連結部材１２を用いることに特徴がある。
【００１５】
ここで、Ｔ形連結部材１２は、図３に示したように、杆体１２ａの一端にＴ字状に両側へ延びるＴ字状突出部１２ｂを有し、杆体１２ａの他端にルーズホール１２ｃを構成する環状部１２ｄを有するものである。Ｔ字状突出部１２ｂは、その軸方向Ａが環状部１２ｄの面内方向Ｂに対して交差する角度、好ましくはほぼ９０°になるように杆体１２ａに設けられる。
螺子ロッド１１は、螺子ボルト全長に螺子山が形成されたものを使用することができるが、少なくとも先端と後端の所定箇所に螺子山が形成されたものであれば良い。つまり、壁パネル１４に固定される先端と、Ｔ形連結部材１２の環状部１２ｄに固定される後端との少なくとも両端に螺子山が形成されたものであれば使用可能である。
躯体１５の下面には横長のルーズホール１６ａを有する箱金物１６が予め埋設される。この箱金物１６は、横長のルーズホール１６ａの延長方向が壁パネル１４の面内方向に対して平行になるように配置される。横長のルーズホール１６ａは、Ｔ形連結金物１２のＴ字状突出部１２ｂを挿入可能、且つ係止可能な形状に形成される。
壁パネル１４には、躯体１５の箱金物１６に対応するように、その上端付近の側面に切欠部１４ａが形成され、この切欠部１４ａに螺子ロッド１１の一端を固定することができる受け部材１７が埋設される。受け部材１７は、雌螺子が形成されたインサート１７ａと、このインサート１７ａを受入れる孔が形成された孔付き鋼板１７ｂ（インサート金物）とから構成することができる。
【００１６】
本発明の取付構造１０では、Ｔ形連結部材１２のＴ字状突出部１２ｂが、躯体１５の箱金物１６のルーズホール１６ａに挿入されてほぼ９０°回転され、図１のように係合される。このとき、Ｔ形連結部材１２のルーズホール１２ｃは受け部材１７に対向配置される。このＴ形連結部材１２のルーズホール１２ｃに螺子ロッド１１が挿入され、その先端が受け部材１７のインサート１７ａに螺合される。螺子ロッド１１の後端側には、ワッシャープレート１３ａが通されてナット１３ｂで締め込まれ、Ｔ形連結部材１２の環状部１２ｄが受け部材１７に押し付けられて固定される。このＴ形連結部材１２の環状部１２ｄと、孔付き鋼板１７ｂとの隙間が大きい場合には、この隙間に厚さ調整用ライナー１８が設けられ、Ｔ形連結部材１２の杆体１２ａがほぼ垂直になるように調整される。壁パネル１４の切欠部１４ａは、プレート１９をネジや釘により固定して塞がれる。
なお、本発明の取付構造１０は壁パネル１４の上端付近に設けられ、壁パネル１４が躯体層間変位に追従可能で面内方向に可動なようにするものであり、壁パネル１４の自重や面外方向力は、壁パネル１４の下端付近に設けられるファスナー（図示せず）により支持され、固定されるものである。
【００１７】
以上のように、本発明の取付構造１０では、壁パネル１４を躯体１５に取り付ける際に施工現場における溶接作業を必要とせず、全て機械的な係合や連結のみにより取付構造を形成することが可能であるため、天候に影響を受けることなく工程管理を進めることができて、且つ作業者の施工技術に影響を受けることなく安定した品質が得られる。
また躯体層間変位による壁パネル１４の面内方向への影響は、躯体１５のルーズホール１６ａとＴ形連結部材１２との係合部により吸収することができ、壁パネル１４を取り付ける際の寸法調整は、Ｔ形連結部材１２のルーズホール１２ｃへの螺子ロッド１１の挿通箇所で容易に行い得るものであり、これにより、本発明の取付構造は施工性の良好なものとなる。
【００１８】
〔第二の実施形態〕
図４は第二の実施形態を説明するため、一部の部材を緩めて示した斜視図であり、その断面図が図５である。図４及び図５の取付構造３０は、壁パネル３１が梁又は床スラブ等の躯体３２の側面に取り付けられる点で、第一の実施形態とは異なるが、螺子ロッド１１とＴ形連結部材１２と定着具１３とを含むファスナーは共通のものが使用される。
壁パネル３１の上端付近の側面には箱金物３３が埋設され、この箱金物３３は横長のルーズホール３３ａを有し、このルーズホール３３ａがほぼ水平方向に延びるように箱金物３３は配置されている。一方、躯体３２の下面にも、壁パネル３１の箱金物３３に対向する配置で切欠部３４が設けられ、この切欠部３４に受け部材３５が埋設される。受け部材３５は、ルーズホール３５ａを有する箱金物３５ｂと、内部に可動に設けられたナット３５ｃとから構成されている。
【００１９】
第二の実施形態の取付構造３０では、Ｔ形連結部材１２のＴ字状突出部１２ｂが、壁パネル３１の箱金物３３のルーズホール３３ａに挿入されてほぼ９０°回転され、図４のように係合される。Ｔ形連結部材１２のルーズホール１２ｃには、螺子ロッド１１が挿入され、その上端が躯体３２下面の箱金物３５ｂのルーズホール３５ａに挿入され、ナット３５ｃが螺合される。螺子ロッド１１の下端側には、ワッシャープレート１３ａが通されてナット１３ｂで締め込まれ、Ｔ形連結部材１２の環状部１２ｄが箱金物３５ｂに押し付けられて固定される。このＴ形連結部材１２の環状部１２ｄと、箱金物３５ｂとの隙間が大きい場合には、この隙間に厚さ調整用ライナー１８が設けられ、Ｔ形連結部材１２の杆体１２ａがほぼ水平になるように調整される。躯体３２下面の切欠部３４は、プレート（図示せず）やネジや釘により固定して塞ぐことができる。
【００２０】
第二の実施形態の取付構造３０においても、第一の実施形態と同様に、天候に影響を受けることなく工程管理を進めることができて、且つ作業者の施工技術に影響を受けることなく安定した品質が得られる。また躯体層間変位による壁パネル１４の面内方向への影響は、壁パネル３１の箱金物３３のルーズホール３３ａと、Ｔ形連結部材１２のＴ字状突出部１２ｂとの係合部により吸収することができる。さらに、壁パネル３１を取り付ける際の寸法調整は、Ｔ形連結部材１２のルーズホール１２ｃへの螺子ロッド１１の挿通箇所、及び躯体３２下面の箱金物３５ｂのルーズホール３５ａへの螺子ロッド１１の挿通箇所で容易に行い得るものであり、これにより良好な施工性が得られる。
【図面の簡単な説明】
【００２１】
【図１】第一の実施形態の斜視図である。
【図２】第一の実施形態の断面図である。
【図３】本発明に用いられるＴ形連結部材の斜視図である。
【図４】第二の実施形態の斜視図である。
【図５】第二の実施形態の斜視図である。
【図６】（ａ）〜（ｄ）は従来例を示す断面図である。
【符号の説明】
【００２２】
１０  取付構造
１１  螺子ロッド
１２  Ｔ形連結部材
１２ａ  杆体
１２ｂ  Ｔ字状突出部
１２ｃ  ルーズホール
１２ｄ  環状部
１３  定着具
１３ａ  ワッシャープレート
１３ｂ  ナット
１４  壁パネル
１５  躯体
１６  箱金物
１６ａ  横長のルーズホール
１７  受け部材
１７ａ  インサート
１７ｂ  孔付き鋼板
３０  取付構造
３１  壁パネル
３２  躯体
３３  箱金物
３３ａ  横長のルーズホール
３５  受け部材
３５ａ  ルーズホール
３５ｂ  箱金物
３５ｃ  ナット
【図１】
2008063776.tif 000003
【図２】
2008063776.tif 000004
【図３】
2008063776.tif 000005
【図４】
2008063776.tif 000006
【図５】
2008063776.tif 000007
【図６】
2008063776.tif 000008